(57)【特許請求の範囲】
【請求項１】
タクシーチケット発行者と、該タクシーチケット発行者とタクシーチケットの使用について契約を結んだ契約者により用いられるタクシーチケット発行管理システムであって、
a) 前記タクシーチケット発行者により用いられる装置であって、１乃至複数枚のタクシーチケットに、該タクシーチケットを識別する所定の識別子を付して印刷する識別子印刷部と、前記識別子と前記契約者の対応付けを含むチケット発行情報を作成するチケット発行情報作成部と、を有する基礎チケット発行装置と、
b) 前記契約者により用いられる装置であって、前記識別子が印刷された前記１乃至複数枚のタクシーチケットの一部又は全部について、タクシーチケットの使途を制限する情報である使途制限情報の入力を受け付ける使途制限情報入力部と、前記識別子が印刷されたタクシーチケットに該使途制限情報を印刷する使途制限情報印刷部と、前記発行者より受領したチケット発行情報に基づき、該印刷した使途制限情報と前記識別子を対応付けて使途管理情報を作成する使途管理情報作成部と、を有する完成チケット発行装置と、
を備えることを特徴とするタクシーチケット発行管理システム。
【請求項２】
前記基礎チケット発行装置が、使用済みタクシーチケットの識別子と利用金額を対応付けた請求データを作成する請求データ作成部を備え、
前記完成チケット発行装置が、前記識別子を介して前記使途管理情報と前記請求データを対応付けた請求照合データを作成する照合データ作成部を備える
ことを特徴とする請求項１に記載のタクシーチケット発行管理システム。
【請求項３】
前記基礎チケット発行装置と完成チケット発行装置がネットワークを介して接続されていることを特徴とする請求項１又は２に記載のタクシーチケット発行管理システム。
【発明の詳細な説明】
【技術分野】
【０００１】
本発明は、タクシーチケットの発行を管理するシステムに関する。特に、タクシーチケット発行会社と予め契約した契約者が、使途を制限したタクシーチケットを、必要な時に必要な枚数入手することができるタクシーチケット発行管理システムに関する。
【背景技術】
【０００２】
タクシーチケットは、契約者からの依頼に基づきタクシーチケット発行会社により発行され、契約者からタクシーを利用する社員や関係者等の使用者に予め配布される乗車券である。タクシーチケットの使用者はタクシーを利用した際に、利用日、利用区間、及び利用金額をタクシーチケットに記入する。使用されたタクシーチケットは、乗務員を通じてタクシー会社に回収された後、タクシー会社からタクシーチケット発行会社に利用料金が請求され、その後、タクシーチケット発行会社で取りまとめられて契約者に請求される。
【０００３】
タクシーチケットを用いると、タクシーの利用料金を一括後払いすればよく、タクシーを利用する際にキャッシュレスで便利な反面、その利用に制限がない。そのため、タクシーチケットを配布された者が当初の目的外にタクシーチケットを使用することを制限することができない。タクシーチケットが当初の目的外に使用されると、契約者はその利用料金を交通費（必要経費）として処理することができず、課税区分が異なる接待交際費等として処理しなければならないという問題があった。
【０００４】
そこで、予め決められた目的で契約者がタクシーチケットを入手する場合、例えば催事や講演会等を開催することが多い製薬会社等では、催事や講演会等の開催時に集客を目的とするタクシーチケットの配布が広く行われている。こうした場合には、催事会場や講演会場から最寄駅等までの利用区間や、該区間の利用に想定される料金に応じた利用限度額、利用可能期間・有効期限等を予め記載したタクシーチケットが用いられている。
【０００５】
特許文献１には、タクシーチケット発行会社において、契約者からの要請を受けた担当者が入力した内容に基づき、契約者の名称のほかに、タクシーチケットの有効期限、利用区間、あるいは利用限度額といったタクシーチケットの使途を制限する内容を印刷したタクシーチケットを発行することができるシステムが記載されている。
【先行技術文献】
【特許文献】
【０００６】
【特許文献１】特開平１１−１９５１４３号公報
【発明の概要】
【発明が解決しようとする課題】
【０００７】
特許文献１に記載のシステムは、タクシーチケット発行会社においてタクシーチケットを発行するシステムであり、発行されたタクシーチケットが郵送等により契約者の手元に届くまでに相応の日数を要する。そのため、契約者が急遽タクシーチケットを必要とする場合には対応することができないという問題があった。また、予め決められた目的のために用いられるタクシーチケットであっても、契約者は不測の事態に備えて実際に必要な数よりも多くタクシーチケットを入手するのが通例であり、最終的に使用されることなく有効期限が切れるなどして廃棄されるタクシーチケットが発生し無駄が多いという問題があった。
【０００８】
本発明が解決しようとする課題は、契約者が、使途を制限したタクシーチケットを必要な時に必要な枚数、入手することができるタクシーチケット発行管理システムを提供することである。
【課題を解決するための手段】
【０００９】
上記課題を解決するために成された本発明は、タクシーチケット発行者と、該タクシーチケット発行者とタクシーチケットの使用について契約を結んだ契約者により用いられるタクシーチケット発行管理システムであって、
a) 前記タクシーチケット発行者により用いられる装置であって、１乃至複数枚のタクシーチケットに、該タクシーチケットを識別する所定の識別子を付して印刷する識別子印刷部と、前記識別子と前記契約者の対応付けを含むチケット発行情報を作成するチケット発行情報作成部と、を有する基礎チケット発行装置と、
b) 前記契約者により用いられる装置であって、前記識別子が印刷された前記１乃至複数枚のタクシーチケットの一部又は全部について、タクシーチケットの使途を制限する情報である使途制限情報の入力を受け付ける使途制限情報入力部と、前記識別子が印刷されたタクシーチケットに該使途制限情報を印刷する使途制限情報印刷部と、前記発行者より受領したチケット発行情報に基づき、該印刷した使途制限情報と前記識別子を対応付けて使途管理情報を作成する使途管理情報作成部と、を有する完成チケット発行装置と、
を備えることを特徴とする。
【００１０】
前記所定の識別子は、各タクシーチケットを識別可能なものであればよく、例えばタクシーチケットに順に付される連番や、該連番をコード化したもの（バーコード、ＱＲコード（登録商標）、ＯＣＲコード等）とすることができる。
【００１１】
本発明に係るタクシーチケット発行管理システムでは、タクシーチケット発行者が基礎チケット発行装置を用いて識別子のみを印刷したタクシーチケットを発行し、チケット発行情報も契約者に（オンライン等で）送付する。その後、契約者は、受領したチケット発行情報に使途制限情報を組み合わせるとともに、完成チケット発行装置を用いて受領したタクシーチケットに使途制限情報を印刷してチケットを完成させる。
【００１２】
本発明に係るタクシーチケット発行管理システムにおいても、従来と同様にタクシーチケット発行会社において識別子を印刷したタクシーチケットは郵送等の方法で契約者に送付されるが、従来と異なり、契約者が使途制限情報を書き込んで自らでタクシーチケットを完成させるため、契約者は必要なときに必要な枚数のタクシーチケットを完成させることができ、無駄なタクシーチケットの発生がない。
【００１３】
また、本発明に係るタクシーチケット発行管理システムでは、契約者の手元に識別子と使途制限情報を対応付けた使途管理情報が残る。従って、タクシーチケットの使用後、タクシーチケット発行会社から送られてくる、識別子ごとに管理された請求金額を使途管理情報と照合し、予定された目的でタクシーチケットが使用されていることやタクシーチケットの使用率などを容易に確認することができる。また、契約者が自ら使途制限情報を入力するため、各契約者が適宜の項目（タクシーチケットの発行管理や発行したタクシーチケットと請求金額の突合時に有用な精算勘定項目、精算部署、精算管理者、利用者の所属等）を追加して利便性を高めた使途管理情報を作成することができる。
【００１４】
タクシーチケット発行会社では、慣習的に、３枚のＡ４サイズのシートにそれぞれ８枚分のタクシーチケットをまとめて印刷して作成した合計２４枚のタクシーチケットを一冊に束ねて契約者に送付している。契約者が特に希望する場合には、タクシーチケットを束ねることなく契約者に送付することもあるが、その場合でもシート単位で８枚のタクシーチケットをまとめて印刷する。そのため、契約者が必要とする枚数（例えば５枚）が該複数枚よりも少ない場合、余剰の枚数（１冊単位の場合は１９枚であり、１シート単位の場合でも３枚）のタクシーチケットが無駄になっていた。本発明に係るタクシーチケット発行管理システムでは、個々の契約者がシートに印刷された８枚のタクシーチケットのうち、自らの必要とする枚数だけ、その都度タクシーチケットを完成させればよいため、無駄をなくすことができる。
【００１５】
本発明に係るタクシーチケット発行管理システムは、さらに、
前記基礎チケット発行装置が、使用済みタクシーチケットの識別子と利用金額を対応付けた請求データを作成する請求データ作成部を備え、
前記完成チケット発行装置が、前記識別子を介して前記使途管理情報と前記請求データを対応付けた請求照合データを作成する照合データ作成部を備える
ことが好ましい。
【００１６】
上記請求データ作成部及び前記照合データ作成部を備えた態様のタクシーチケット発行管理システムを用いると、契約者が発行したタクシーチケットと、タクシーチケット発行会社からの請求金額がタクシーチケットの識別番号を介して対応付けられた１つの請求照合データが作成される。従って、契約者は、タクシーチケットの識別番号を用いてタクシーチケット発行会社から請求された利用金額を容易に、かつ誤りなく突合することができる。
【００１７】
また、本発明に係るタクシーチケット発行管理システムにおいて、前記基礎チケット発行装置と前記完成チケット発行装置がネットワークを介して接続されていることが好ましい。これにより、基礎チケット発行装置で作成されたチケット発行情報をオンラインで完成チケット発行装置に送信し、該チケット発行情報を元にして使途制限情報を容易に作成することができる。
【発明の効果】
【００１８】
本発明に係るタクシーチケット発行管理システムを用いることにより、契約者が、使途を制限したタクシーチケットを必要な時に必要な枚数、入手することができる。また、前記請求データ作成部及び前記照合データ作成部を備えた態様のタクシーチケット発行管理システムを用いると、契約者は、タクシーチケットの識別番号を用いてタクシーチケット発行会社から請求された利用金額を容易に、かつ誤りなく突合することができる。
【図面の簡単な説明】
【００１９】
【図１】本発明に係るタクシーチケット発行管理システム全体の概略構成を示す図。
【図２】本実施例のタクシーチケット発行管理システムの要部構成を示す図。
【図３】本実施例におけるタクシーチケット発行等の手順を説明するフローチャート。
【図４】本実施例における基礎チケットの一例。
【図５】本実施例における使途制限情報入力画面及び入力内容の例を説明する図。
【図６】本実施例における使途制限情報入力画面及び入力内容の例を説明する別の図。
【図７】本実施例における完成チケットの例。
【図８】本実施例における請求データの例。
【発明を実施するための形態】
【００２０】
本発明に係るタクシーチケット発行管理システムの一実施例について、以下、図面を参照して説明する。
【００２１】
図１に、本実施例のタクシーチケット発行管理システム全体の概略構成を示す。本実施例のタクシーチケット発行管理システムは、タクシーチケット発行会社において用いられる基礎チケット発行装置１００と、該タクシーチケット発行会社と予めタクシーチケットの使用について契約を結んでいる契約者（企業や官公庁等）により用いられる完成チケット発行装置２００、及びこれらを結ぶインターネット等のネットワークにより構成される。本実施例のタクシーチケット発行管理システムは、通常、１社のタクシーチケット発行会社と複数者の契約者により用いられ、１台の基礎チケット発行装置１００と複数台の完成チケット発行装置２００を備えている。
【００２２】
次に、図２を参照して基礎チケット発行装置１００と完成チケット発行装置２００の要部構成を説明する。図２では１台の完成チケット発行装置２００のみ示しているが、他の完成チケット発行装置も同様の構成を備えている。
【００２３】
基礎チケット発行装置１００は、基礎チケット発行制御部１１０、該基礎チケット発行制御部１１０に接続された入力部１２０、表示部１３０、及び印刷部１４０を備えている。基礎チケット発行制御部１１０は、記憶部１１１のほか、機能ブロックとして、識別子印刷部１１２、チケット発行情報作成部１１３、及び請求データ作成部１１４を備えている。基礎チケット発行制御部１１０の実体はパーソナルコンピュータであり、ネットワーク接続用のインターフェース等（図示なし）を備えるとともに、オペレーションシステム（ＯＳ）や所要のソフトウェアが予めインストールされている。記憶部１１１には、各契約者の名称及びＩＤ、及び各契約者について過去に発行した基礎チケットの情報等が予め保存されている。
【００２４】
完成チケット発行装置２００は、完成チケット発行制御部２１０、該完成チケット発行制御部２１０に接続された入力部２２０、表示部２３０、及び印刷部２４０を備えている。完成チケット発行制御部２１０は、記憶部２１１のほか、機能ブロックとして、使途制限情報入力部２１２、使途制限情報印刷部２１３、使途管理情報作成部２１４、及び照合データ作成部２１５を備えている。完成チケット発行制御部２１０の実体もパーソナルコンピュータであり、ネットワーク接続用のインターフェース等（図示なし）を備えるとともに、オペレーションシステム（ＯＳ）や所要のソフトウェアが予めインストールされている。
【００２５】
次に、図３〜７を参照して、基礎チケット発行装置１００と完成チケット発行装置２００を用いてタクシーチケットの発行等に関する手順を説明する。図３はタクシーチケットの発行等に関するフローチャート、図４は基礎チケットの一例、図５及び６は使途制限情報入力画面及び使途制限情報の一例、図７は完成チケットの一例である。
【００２６】
まず、契約者がタクシーチケット発行会社に対して、２４枚を１単位とする基礎チケットの発行を依頼する（ステップＳ１）。ここで、２４枚を１単位としているのは、タクシーチケット発行会社において慣習的にＡ４サイズのシート３枚にそれぞれ８枚のタクシーチケットを印刷していることを踏襲したに過ぎず、シートのサイズや印刷する枚数は任意に変更可能である。
【００２７】
基礎チケット発行の依頼を受けると、タクシーチケット発行会社の担当者は、基礎チケット発行制御部１１０の印刷部１４０に、８枚分のタクシーチケットの枠線や各欄の項目名が印刷された所定のシートを（本実施例では３枚）セットする。続いて、入力部１２０を通じて契約者の名称（あるいはＩＤ）及び依頼を受けた基礎チケットの発行枚数（本実施例では２４枚）を入力する。
【００２８】
タクシーチケット発行会社の担当者が基礎チケットの発行を指示すると、識別子印刷部１１２は記憶部１１１から契約者の名称とＩＤを読み出し、発行する基礎チケットの枚数分、各チケットを識別するための識別子を作成する。そして、印刷部１４０にセットされたシートの所定位置に識別子を印刷する。識別子としては、例えば発行の単位である３枚のシートに共通するシートＩＤ（本実施例では１２３４５６）、該３枚のシート番号（本実施例では１〜３）、及び前記１組のシートにおけるタクシーチケットの連番（本実施例では０１〜２４）を組み合わせた番号とすることができる。その他、契約者に対して発行したシートの累計枚数等、適宜のものを識別子として用いることができる。本実施例では、識別番号と、該識別番号をバーコード化したもの、及びＱＲコード化したものの３種類がそれぞれのタクシーチケットに印刷され、基礎チケット３００が発行される。なお、新規の契約者である場合には、新たな契約者ＩＤが発行される。
【００２９】
図４に基礎チケットの一例を示す。基礎チケット３００は、タクシーチケット本体部３２０と、その左側にミシン目を介して設けられた使用時記入欄３１０からなる。使用時記入欄３１０は、タクシーチケットを使用してタクシーに乗車した際に、利用日、利用区間、及び利用金額を記入する欄である。基礎チケットの発行時点では、タクシーチケット本体部３２０と使用時記入欄３１０のそれぞれの下部位置に識別子３０１が印刷される。
【００３０】
識別子印刷部１１２が基礎チケット３００に識別子３０１の印刷を完了すると、チケット発行情報作成部１１３は、基礎チケットに印刷した識別子３０１を契約者と対応付けたチケット発行情報を作成し（ステップＳ２）、記憶部１１１に保存する。
【００３１】
タクシーチケット発行会社において基礎チケット３００を発行し、チケット発行情報を記憶部１１１に保存した後、基礎チケット３００が契約者に郵送され（ステップＳ３−１）、チケット発行情報がネットワークを介して完成チケット発行装置２００に送信される（ステップＳ４−１）。完成チケット発行装置２００に送信されたチケット発行情報は完成チケット発行装置２００の記憶部２１１に保存される。
【００３２】
契約者は、基礎チケット３００を受領し（ステップＳ３−２）、チケット発行情報を受信（ステップＳ４−２）した後、該基礎チケットを印刷部２４０にセットするとともに入力部２２０を通じて完成チケットの発行を指示する。
【００３３】
完成チケットの発行が指示されると、使途制限情報入力部２１２は、記憶部２１１に保存されたチケット発行情報を読み出し、これに使途制限情報に対応する項目を追加して表示部２３０に使途制限情報及び管理項目の入力画面２３１（以下、「使途制限情報等入力画面」と呼ぶ。）を表示する。なお、管理項目は契約者により任意に追加される項目である。図５及び６は使途制限情報等入力画面２３１の一例である。なお、図５は後述のスクロールバー２３４２を左方に動かしたときの表示画面の例（チケット発行情報及び使途制限情報が表示された状態）であり、図６はスクロールバー２３４２を右方に動かしたときの表示画面の例（使途制限情報及び管理項目が表示された状態）である。
【００３４】
使途制限情報等入力画面２３１には、上から順に、金種設定部２３２、ファイル読み込み部２３３、及び使途制限情報等入力部２３４が設けられている。金種設定部２３２には利用限度額入力欄２３２１が設けられており、プルダウン方式で利用限度額を一括入力することができる。
【００３５】
ファイル読み込み部２３３には、ファイルパス入力欄２３３１、参照ボタン２３３２、及び取込ボタン２３３３が設けられており、ファイルパス入力欄２３３１にファイルパスを直接入力した後に、あるいは参照ボタン２３３２を押すと表示されるファイル選択画面において読み込み対象ファイルを決定した後に、取込ボタン２３３３を押すと、対象ファイルが読み出され、その内容が使用制限情報等表示欄２３４１に表示される。対象ファイルは、タクシーチケット発行会社の基礎チケット発行装置１００から送信されるチケット発行情報が記載されたファイルや、契約者が該チケット発行情報に所定の項目を入力した後のファイルである。
【００３６】
使途制限情報等入力部２３４には、使途制限情報等表示欄２３４１と該使途制限情報等表示欄２３４１の画面表示を左右に移動するためのスクロールバー２３４２が設けられている。使途制限情報等表示欄２３４１は、印字済項目表示欄、印字項目入力欄、及び管理項目入力欄で構成されている。印字済項目表示欄には、タクシーチケット発行会社において基礎チケット発行時に設定されチケット発行情報に含まれる識別子（チケットNo.）は編集不可である。印字項目入力欄（使途制限情報の入力欄）には、契約社名（御社名）入力欄、利用者名入力欄、乗車区間（区間１及び区間２）入力欄、有効期限入力欄、利用日入力欄、利用限度額入力欄等が設けられており、契約者において各項目を入力することができる。利用限度額は、上述の金種設定部２３２の利用限度額入力欄２３２１により一括入力することができるほか、この利用限度額入力欄により個別に入力することもできる。
【００３７】
また、管理項目入力欄では、契約者が適宜に項目名の追加・編集が可能であり、契約者が完成チケットの発行管理やタクシーチケット使用後に利用金額と突合する際に有用であると考える項目を適宜に設定することができるようになっている。図５及び６では、管理項目の一例として、印刷日、精算勘定科目、精算管理者、利用者所属、その他（備考欄）が入力されている。
【００３８】
使途制限情報及び管理項目の入力後、契約者が基礎チケット３００を印刷部２４０にセットして印刷ボタン２３５を押すと、使途制限情報印刷部２１３が上記印字項目表示欄に表示された使途制限情報の各項目を基礎チケットの所定位置に印刷する。これにより完成チケット４００が発行される。図７(a)は、使途制限情報等表示欄２３４１の最上段に入力された使途制限情報が印刷された完成チケット４００の例、図７(b)は第５欄に入力された使途制限情報が印刷された完成チケット４００の例である。
【００３９】
使途制限情報印刷部２１３による基礎チケット３００への使途制限情報の印刷（即ち完成チケット４００の発行）を完了すると、使途管理情報作成部２１４は、図５及び６の画面に表示された各項目の内容を使途管理情報ファイルに書き込み記憶部２１１に保存する。言い換えると、チケット発行情報に使途制限情報（及び契約者が任意に追加した管理項目の入力情報）が対応付けられた使途管理情報ファイルが作成され記憶部２１１に保存される（ステップＳ５）。終了ボタン２３６を押すと、編集中の内容の保存の要否を契約者に問い合わせた後、使途制限情報入力画面２３１が閉じられる。
【００４０】
完成チケット４００は、使用後（ステップＳ６）、乗務員を通じてタクシー会社に回収される。そして、タクシー会社からタクシーチケット発行会社に利用金額が請求される。タクシーチケット発行会社が請求金額を取りまとめて契約者に請求する際、タクシーチケット発行会社の基礎チケット発行装置１００において担当者が請求データの入力を指示すると、請求データ作成部１１４は、識別子入力欄及び請求情報入力欄を有する利用金額入力画面を表示部１３０に表示する。ここで、請求情報とは、例えば、利用日、利用金額、利用区間、及び取扱タクシー会社に関する情報である。該画面において担当者が識別子及び請求情報入力すると、請求データ作成部１１４により識別子等のチケット発行情報に請求情報（利用日、利用金額、利用区間、取扱タクシー会社）を含む利用データを対応付けた請求データが作成され（ステップＳ７）、記憶部１１１に保存される。
【００４１】
図８は、請求データの一例である。請求情報には、図８に示す項目の他にも、利用者の所属や利用者名など、適宜の項目を加えることができる。なお、担当者による識別子の入力は、直接入力のほか、発行情報ファイルを記憶部１１１から読み出すことによっても行うことができる。作成された請求データは、基礎チケット発行装置１００から送信され（ステップＳ８−１）、完成チケット発行装置２００で受信された後（ステップＳ８−２）、記憶部２１１に保存される。
【００４２】
契約者が完成チケット発行装置２００において記憶部２１１から請求データを読み出すと、照合データ作成部２１５が該請求データの識別子に対応する使途制限情報を記憶部２１１から読み出し、識別子を用いてこれらを対応付けた請求照合データを作成し（ステップＳ９）、記憶部２１１に保存する。請求照合データは、図５及び６の使途制限情報等入力欄の各項目に請求金額が対応付けられたデータであり、これにより契約者は、タクシーチケットの利用状況（利用日、利用区間、利用金額等）と、タクシーチケット完成時に作成した使途制限情報及び管理項目を容易に、かつ誤りなく突合することができる。また、完成チケット発行装置２００が請求データを受信した時点で照合データ作成部２１５が自動的に請求照合データを作成するように構成することもできる。
【００４３】
本実施例に係るタクシーチケット発行管理システムでは、タクシーチケット発行者が基礎チケット発行装置１００を用いて識別子３０１を印刷した基礎チケット３００を発行し、ネットワークを介して契約者に送付する。その後、契約者は完成チケット発行装置２００を用いて使途制限情報を入力し、基礎チケット３００に使途制限情報を印刷して完成チケット４００を発行する。このように、本実施例のタクシーチケット発行管理システムでは契約者が自ら使途制限情報を書き込んで完成チケット４００を完成させるため、契約者は必要なときに必要な枚数のタクシーチケットを即時に入手することができる。また、無駄なタクシーチケットが発生することもない。
【００４４】
また、本実施例に係るタクシーチケット発行管理システムでは、契約者の手元に識別子３０１と使途制限情報を対応付けた使途管理情報が残る。従って、タクシーチケットの使用後、タクシーチケット発行会社から送られてくる、識別子３０１ごとに管理された請求金額を使途管理情報と照合し、予定された目的でタクシーチケットが使用されていることやタクシーチケットの使用率を容易に確認することができる。
【００４５】
さらに、使途制限情報入力画面２３１において契約者が適宜の管理項目を追加することもでき、契約者がタクシーチケットの使用結果を確認する際の利便性を向上することができる。特に、上記実施例では、契約者が発行したタクシーチケットの利用制限情報及び管理項目と、該タクシーチケットについてタクシーチケット発行会社から請求された利用金額等がタクシーチケットの識別番号を介して対応付けられた１つの請求照合データが作成される。従って、契約者は、タクシーチケットの識別番号を用いてタクシーチケット発行会社から請求された利用金額を容易に、かつ誤りなく突合することができる。
【００４６】
上記実施例は一例であって、本発明の趣旨に沿って適宜に変更することができる。
上記実施例では、８枚のタクシーチケットを１単位としたが、この枚数は適宜に変更することができる。また、タクシーチケット発行会社において基礎チケットを１枚ずつ発行するようにしてもよい。
さらに、上記実施例では、基礎チケット発行装置１００と完成チケット発行装置２００の間でチケット発行情報及び請求データを送受信する構成としたが、ネットワークサーバ等を組み合わせて基礎チケット発行装置１００と完成チケット発行装置２００が記憶部を共有するようにしてもよい。これにより、ファイルの送受信を行う手間を省くことができる。
【００４７】
その他、１つのソフトウェアにより基礎チケット発行装置１００の機能ブロック又は完成チケット発行装置２００の機能ブロックを択一的に具現化することもできる。この態様では、タクシーチケット発行会社が有するパーソナルコンピュータにこのソフトウェアをインストールして所定のプログラムを起動し、タクシーチケット発行会社用のＩＤ及びパスワードでログインすると、タクシーチケット発行会社によるソフトウェアの利用であると判定され、基礎チケット発行等に係る機能ブロック（即ち上記実施例における基礎チケット発行装置１００が有する機能ブロック）が動作する。これにより、タクシーチケット発行会社のパーソナルコンピュータを基礎チケット発行装置１００として使用することができる。また、契約者が有するパーソナルコンピュータにこのソフトウェアをインストールして前記所定のプログラムを起動し、契約者用のＩＤ及びパスワードでログインすると、契約者によるソフトウェアの利用であると判定され、完成チケット発行等に係る機能ブロック（即ち上記実施例における完成チケット発行装置２００が有する機能ブロック）が動作する。これにより、契約者のパーソナルコンピュータを完成チケット発行装置２００として使用することができる。
【符号の説明】
【００４８】
１００…基礎チケット発行装置
１１０…基礎チケット発行制御部
１１１…記憶部
１１２…識別子印刷部
１１３…チケット発行情報作成部
１１４…請求データ作成部
１２０…入力部
１３０…表示部
１４０…印刷部
２００…完成チケット発行装置
２１０…完成チケット発行制御部
２１１…記憶部
２１２…使途制限情報入力部
２１３…使途制限情報印刷部
２１４…使途管理情報作成部
２１５…照合データ作成部
２２０…入力部
２３０…表示部
２３１…使途制限情報入力画面
２３２…金種設定部
２３２１…利用限度額入力欄
２３３…ファイル読み込み部
２３３１…ファイルパス入力欄
２３３２…参照ボタン
２３３３…取込ボタン
２３４…使途制限情報等入力部
２３４１…使途制限情報等表示欄
２３４２…スクロールバー
２３５…印刷ボタン
２３６…終了ボタン
２４０…印刷部
３００…基礎チケット
３０１…識別子
３１０…使用時記入欄
３２０…タクシーチケット本体部
４００…完成チケット
【要約】
【課題】契約者が、使途を制限したタクシーチケットを必要な時に必要な枚数、入手することができるタクシーチケット発行管理システムを提供する。
【解決手段】タクシーチケット発行者と、該タクシーチケット発行者とタクシーチケットの使用について契約を結んだ契約者により用いられるタクシーチケット発行管理システムにおいて、タクシーチケットに所定の識別子を付して印刷する識別子印刷部１１２と識別子と契約者を対応付けたチケット発行情報を作成するチケット発行情報作成部１１３とを有する基礎チケット発行装置１００と、使途制限情報の入力を受け付ける使途制限情報入力部２１２と基礎チケットに使途制限情報を印刷する使途制限情報印刷部２１３とチケット発行情報に基づき使途管理情報を作成する使途管理情報作成部２１４とを有する完成チケット発行装置２００とを備える。
【選択図】図２【図１】
0005961890.tif 000002
【図２】
0005961890.tif 000003
【図３】
0005961890.tif 000004
【図４】
0005961890.tif 000005
【図５】
0005961890.tif 000006
【図６】
0005961890.tif 000007
【図７】
0005961890.tif 000008
【図８】
0005961890.tif 000009